(57)【要約】【課題】希望の物品の入手をより簡便に且つ安全に可能とする物品提供方法及び物品収容容器を提供すること。【解決手段】ネットワークを介して薬毒物の発注を受けることとしたので、時間及び場所を選ばない毒劇物の関与した中毒事件において瞬時に希望の標準品である薬毒物の提供の準備ができる。又、発注された薬毒物を収納する薬毒物収容容器９に鍵本体２０を設け、その鍵本体２０に発注側にのみ知り得る発注側秘密キー１３ａを入力させロック部３１を開錠させることとしたので、確実に発注側にのみ目的の薬毒物を提供できる。【選択図】　図１
2004011313.tif 000002
【特許請求の範囲】
【請求項１】
暗号化のための一対の公開キー及び秘密キーのうち公開キーを、ネットワークを介して物品を発注する側から提供する側に送信し、
第１の情報を施錠時に入力される前記公開キーにより暗号化した暗号化情報を開錠時に入力される前記秘密キーにより復号化した複号化情報と第２の情報とが所定の相関関係を有することを条件に開錠される鍵が設けられた開閉蓋を有する容器に物品を収容し、前記送信された公開キーを入力して前記鍵を施錠し、この物品が収容されて施錠された容器を提供側から発注側に配送し、
前記配送された容器の開錠時に前記秘密キーとして入力された情報を用いて前記施錠時に暗号化された前記暗号化情報を復号化し、復号化された前記復号化情報と前記第２の情報とが前記所定の相関関係を有するか否かを判定し、所定の相関関係を有する場合に前記鍵を開錠する
ことを特徴とする物品提供方法。
【請求項２】
請求項１に記載の物品提供方法において、更に、
前記配送された容器の開錠時の、当該容器の位置に応じて前記鍵の開錠を規制することを特徴とする物品提供方法。
【請求項３】
請求項１又は請求項２に記載の物品提供方法において、更に、
前記秘密キーの入力が所定の時間内又は所定の時刻になされなかった場合には前記鍵の開錠を規制することを特徴とする物品提供方法。
【請求項４】
請求項１から請求項３のうちいずれか１項に記載の物品提供方法において、更に、
前記鍵の開錠により発注された物品を提供した後、第３の情報を施錠時に入力される前記秘密キーにより暗号化した暗号化情報を開錠時に入力される前記公開キーにより復号化した複号化情報と第４の情報とが所定の相関関係を有することを条件に開錠される前記鍵を前記秘密キーを入力して施錠し、この施錠された前記容器を発注側から提供側に配送し、
前記配送された容器の開錠時に前記公開キーとして入力された情報を用いて前記施錠時に暗号化された前記暗号化情報を復号化し、復号化された前記復号化情報と前記第４の情報とが前記所定の相関関係を有するか否かを判定し、所定の相関関係を有する場合に前記鍵を開錠することを特徴とする物品提供方法。
【請求項５】
物品を提供する側から発注する側へ提供される場合に用いられる物品収容容器であって、
前記物品を収容する容器本体と、
前記容器本体に開閉自在に形成された開閉蓋と、
前記容器本体と前記開閉蓋との間に設けられ、第１の情報を施錠時に入力される公開キーにより暗号化した暗号化情報を開錠時に入力される秘密キーにより復号化した複号化情報と第２の情報とが所定の相関関係を有することを条件に開錠される錠と
を具備することを特徴とする物品収容容器。
【請求項６】
請求項５に記載の物品収容容器において、
前記錠は、前記配送された容器の開錠時の、当該容器の位置に応じて開錠を規制することを特徴とする物品収容容器。
【請求項７】
請求項５又は請求項６に記載の物品収容容器において、
前記錠は、前記秘密キーの入力が所定の時間内又は所定の時刻になされなかった場合には開錠を規制することを特徴とする物品収容容器。
【請求項８】
請求項５から請求項７のうちいずれか１項に記載の物品収容容器において、
前記錠は、前記開閉蓋を前記容器本体に施錠する時に入力された前記公開キーにより第１の情報を暗号化して暗号化情報とし、前記暗号化情報を前記施錠を開錠する時に前記入力された秘密キーにより複合化して復号化情報とし、前記復号化情報と第２の情報とが所定の相関関係を有するか否かを判定し、更に、前記所定の相関関係を有すると判定した場合に開錠させる制御部を有することを特徴とする物品収容容器。
【発明の詳細な説明】
【０００１】
【発明の属する技術分野】
本発明は、物品提供方法及び物品収容容器に関する。
【０００２】
【従来の技術】
毒劇物の関与した中毒事件においては、適切な治療や対応を施すために、いかに正確に且つ迅速に原因物質を特定するかが重要な課題となる。しかしながら、実際の分析においては、各種毒劇物の形状、反応性、安定性等を十分に把握し、試料の保存、前処理、機器分析結果の解釈等を適切に行わなければ、誤った分析結果を生じることとなる。
【０００３】
また分析の方法は種々あるが、いずれも標準品との比較で行われている。データベースが充実しようとも、各検査機関に配備されている機器、カラム、分析条件によって検出される薬毒物の溶出時間や検出感度等は変化してくる。同じ機器、カラム、分析条件を設定しようとも、全く同じになることはない。従って、各研究機関で純度の高い標準品を使用し、検出しようとする目的の薬毒物が検出できるかを管理する必要がある。
【０００４】
【発明が解決しようとする課題】
しかしながら、現状では各研究者の興味や分析の必要性が生じない限り、高価な標準品を常に装備しようと努力する研究機関は少ない。また、一部の研究者が入手の努力を行っても、国内の法律によって排除され、全く入手できない。
【０００５】
一方研究者同士が譲渡する形なら国内法上の制限は無いが、希望の標準品を短期間に入手することは実際上困難である。すなわち、電話等で知り合いの研究者に端から連絡をとって希望の標準品が有るか聞いていくのでは、急を有する分析に間に合わない場合も生じ得る。
【０００６】
更に研究者同士の譲渡の場合に、当事者同士が直接あって手渡しする場合には事故や犯罪も生じ難いであろうが、そうでない場合にいかに事故や犯罪を防ぎ且つ迅速を要する標準品の入手を実現するかが大きな問題となってきている。
【０００７】
またこのような状態では、海外との技術レベルの格差は一層広がり、分析機器は一流であるが、分析が不可能なため、取り残されてしまうことが懸念される。
【０００８】
本発明は、このような課題を解決するためになされるもので、希望の物品の入手をより簡便に且つ安全に可能とする物品提供方法及び物品収容容器を提供することを目的としている。
【０００９】
【課題を解決するための手段】
上記目的を達成するために、本発明の主たる観点に係る物品提供方法は、暗号化のための一対の公開キー及び秘密キーのうち公開キーを、ネットワークを介して物品を発注する側から提供する側に送信し、第１の情報を施錠時に入力される前記公開キーにより暗号化した暗号化情報を開錠時に入力される前記秘密キーにより復号化した複号化情報と第２の情報とが所定の相関関係を有することを条件に開錠される鍵が設けられた開閉蓋を有する容器に物品を収容し、前記送信された公開キーを入力して前記鍵を施錠し、この物品が収容されて施錠された容器を提供側から発注側に配送し、前記配送された容器の開錠時に前記秘密キーとして入力された情報を用いて前記施錠時に暗号化された前記暗号化情報を復号化し、復号化された前記復号化情報と前記第２の情報とが前記所定の相関関係を有するか否かを判定し、所定の相関関係を有する場合に前記鍵を開錠することを特徴とする。
【００１０】
本発明では、例えば薬毒物の発注及び提供をインターネットを介してすることとしたので、時間及び場所を選ばない毒劇物の関与した中毒事件において瞬時に希望の標準品である薬毒物の提供準備ができることとなる。
【００１１】
また、例えば薬毒物の提供を容器に収容して鍵を施錠し配送することとしたので、安全に薬毒物の提供が可能となると共に容器自体は何回でも再使用でき経済的なものとなる。
【００１２】
更に、発注側のみが知り得る秘密キーによって初めて鍵を開錠できることとしたので、発注側以外の者に例えば薬毒物が渡ることを確実に防止できる。
【００１３】
本発明の一の形態によれば、更に、前記配送された容器の開錠時の、当該容器の位置に応じて前記鍵の開錠を規制することを特徴とする。これにより、発注側の位置情報と異なる場所に例えば薬毒物を収容する容器が配送され、発注側と異なる者に薬毒物が渡るという事態を、更に位置情報という面から防止できる。
【００１４】
本発明の一の形態によれば、更に、前記秘密キーの入力が所定の時間内又は所定の時刻になされなかった場合には前記鍵の開錠を規制することを特徴とする。これにより、例えば薬毒物を収容する容器の配送中に事故及び盗難等に会い異常に長い時間経過後等に、鍵を開錠しようとした場合に発注側の秘密キーのデータを削除するもの等としたので、盗難等により発注側と異なる者が薬毒物を取得することを防止することができることとなる。
【００１５】
本発明の一の形態によれば、更に、前記鍵の開錠により発注された物品を提供した後、第３の情報を施錠時に入力される前記秘密キーにより暗号化した暗号化情報を開錠時に入力される前記公開キーにより復号化した複号化情報と第４の情報とが所定の相関関係を有することを条件に開錠される前記鍵を前記秘密キーを入力して施錠し、この施錠された前記容器を発注側から提供側に配送し、前記配送された容器の開錠時に前記公開キーとして入力された情報を用いて前記施錠時に暗号化された前記暗号化情報を復号化し、復号化された前記復号化情報と前記第４の情報とが前記所定の相関関係を有するか否かを判定し、所定の相関関係を有する場合に前記鍵を開錠することを特徴とする。これにより、発注側しか知り得ない発注側の秘密キーで鍵が施錠され提供側で鍵を開錠できたことにより更に、例えば薬毒物を受取った者が発注側本人であることを確認できることとなる。
【００１６】
また、発注側が鍵を施錠して提供側に戻されることとなるので、施錠自体が受領書の代わりにもなり手続の簡略化を図ることができることとなる。
【００１７】
本発明の他の観点に係る物品収容容器において、物品を提供する側から発注する側へ提供される場合に用いられる物品収容容器であって、前記物品を収容する容器本体と、前記容器本体に開閉自在に形成された開閉蓋と、前記容器本体と前記開閉蓋との間に設けられ、第１の情報を施錠時に入力される公開キーにより暗号化した暗号化情報を開錠時に入力される秘密キーにより復号化した複号化情報と第２の情報とが所定の相関関係を有することを条件に開錠される錠とを具備することを特徴とする。
【００１８】
本発明では、例えば薬毒物を収容する容器自体に公開キー及び秘密キーの入力により施錠開錠する鍵を設けたので、情報漏れ等による発注側以外の者に薬毒物が渡ることを防止でき、安全確実に発注側に薬毒物を提供できる。
【００１９】
また、発注側しか知り得ない発注側の秘密キーにより鍵を解錠することとしたので、発注側以外の者に例えば薬毒物が渡ることを確実に防止できる。
【００２０】
本発明の一の形態によれば、前記錠は、前記配送された容器の開錠時の、当該容器の位置に応じて開錠を規制することを特徴とする。これにより、発注側の位置情報と異なる場所に例えば薬毒物を収容する容器が配送され、発注側と異なる者に薬毒物が渡るという事態を、更に位置情報という面から防止できる。
【００２１】
本発明の一の形態によれば、前記錠は、前記秘密キーの入力が所定の時間内又は所定の時刻になされなかった場合には開錠を規制することを特徴とする。これにより、例えば薬毒物を収容する容器の配送中に事故及び盗難等に会い異常に長い時間経過後等に、鍵を開錠しようとした場合に発注側の秘密キーのデータを削除するもの等としたので、盗難等により発注側と異なる者が薬毒物を取得することを防止することができることとなる。
【００２２】
本発明の一の形態によれば、前記錠は、前記開閉蓋を前記容器本体に施錠する時に入力された前記公開キーにより第１の情報を暗号化して暗号化情報とし、前記暗号化情報を前記施錠を開錠する時に前記入力された秘密キーにより複合化して復号化情報とし、前記復号化情報と第２の情報とが所定の相関関係を有するか否かを判定し、更に、前記所定の相関関係を有すると判定した場合に開錠させる制御部を有することを特徴とする。これにより、例えば薬毒物を収容する容器で独立して施錠開錠の判定ができるので情報漏れを防止でき更に確実に薬毒物を発注側に提供できる。
【００２３】
【発明の実施の形態】
以下、本発明の実施の形態を図面に基づき説明する。
【００２４】
図１は本発明の第１の実施形態に係る薬毒物提供方法の構成図、図２は薬毒物提供方法のフローチャート、図３は薬毒物収容容器の全体斜視図、図４は鍵（以下「鍵本体」という）の構成図である。
【００２５】
図１に示すように、インターネット１には発注側端末２及び提供側サーバ３が接続されている。
【００２６】
ここで、発注側端末２は通信部４ａ、外部接続コントロール５ａ、格納部６ａ、入出力部７ａ及び制御部８ａとから構成されている。
【００２７】
通信部４ａはインターネット１を介して提供側サーバ３と結ばれており、時間及び地域を選ばず提供側サーバ３にアクセスできる。これによって時間及び場所を選ばない毒劇物の関与した中毒事件において、瞬時に希望の標準品である薬毒物の提供準備が出来ることとなる。
【００２８】
また、外部接続コントロール５ａは薬毒物収容容器９に発注側秘密キー１３ａ等を出力するものである。
【００２９】
更に、格納部６ａはキー作成ソフト格納部１０とキー情報格納部１１とから構成される。
【００３０】
ここでキー作成ソフト格納部１０は通信部４ａを介して提供側サーバ３から発注側公開キー１２ａ及び発注側秘密キー１３ａの作成用ソフトをダウンロードする場合のソフト格納部である。
【００３１】
また、キー情報格納部１１は、キー作成ソフトにより作成した発注側公開キー１２ａ及び発注側秘密キー１３ａを格納するものである。
【００３２】
更に、入出力部７ａにはキーボード、ディスプレー及びプリンター（図示せず）等があり、ホームぺージ上での選択及び紙への記録等に利用される。
【００３３】
制御部８ａは通信部４ａからの情報を格納部６ａに格納したり、逆に入出力部７ａからの情報を通信部４ａから提供側サーバ３に送ったりする等の場合に通信部４ａ等を制御するものである。
【００３４】
次に、提供側サーバ３は通信部４ｂ、外部接続コントロール５ｂ、格納部６ｂ、入出力部７ｂ及び制御部８ｂとから構成されている。
【００３５】
通信部４ｂはインターネット１を介して発注側端末２と結ばれており、提供側は時間及び地域を選ばず発注側端末２にホームぺージ等の情報を送ることは勿論、発注側の注文を受注できる。
【００３６】
また、外部接続コントロール５ｂは薬毒物収容容器９に発注側公開キー１２ａ等を出力するものである。
【００３７】
更に、格納部６ｂは会員データ格納部１４、薬毒物データ格納部１５及び配送データ格納部１６から構成されている。
【００３８】
ここで、会員データ格納部１４は薬毒物の提供を受けるために一定の条件を満たす者によって構成される会の会員名、パスワード、研究施設の場所等の情報が格納される。
【００３９】
また、会員データ格納部１４に格納されるデータは必要に応じて更新されるものであり、常に新しいデータが格納されている。
【００４０】
薬毒物データ格納部１５は、提供側が保有する薬毒物の種類と量等のデータが格納されている。また、薬毒物データ格納部１５に格納されるデータは提供等により必要に応じて更新されるものであり、常に新しいデータが格納されている。
【００４１】
配送データ格納部１６は、発注側の情報例えば発注者名及び発注側公開キー１２ａと、配達希望日時及び配達希望場所と、収納されている薬毒物名及び量と、薬毒物収容容器９が施錠された日時と、配送者に関する情報と、配送が終了したか等のデータが格納されている。
【００４２】
次に、図３に示すように薬毒物収容容器９は例えば開閉蓋１７、容器本体１８、薬毒物容器支持板１９及び容器本体１８と開閉蓋１７との間に設けられた鍵本体２０によって形成されている。
【００４３】
ここで開閉蓋１７は薬毒物収容容器９内に目的の薬毒物を収納及び取出すことが容易な構造になっていれば良く、図３に示すような上面を開口自在にする場合に限られず薬毒物収容容器９の正面や側面を開口自在にしてもかまわない。
【００４４】
更に、開閉蓋１７には例えば、容器本体１８の側壁上端面に当接する部分に板状に突出した施錠用のシリンダを係止する施錠用シリンダ係止板２１が設けられており、施錠用シリンダ係止板２１には施錠用シリンダが貫通するシリンダ貫通孔２２が形成されている。
【００４５】
また、容器本体１８は例えば、立方形状の箱の上部が開放されていて、開閉蓋１７によって完全に収容物が外気から密閉できる構造となっており、容器本体１８の内部に薬毒物容器２３が配送中の振動等によって割れたりしないように、薬毒物容器２３が丁度納まるような薬毒物容器支持板１９が形成されている。薬毒物容器支持板１９は取外し自在となっていて薬毒物容器２３に対応し種々選択できる。
【００４６】
更に、鍵本体２０は外面に入力端子２４、作動ランプ２５、充電入力端子２６、アンテナ２７及び係止板挿入孔２８が形成されている。
【００４７】
また図４に示すように鍵本体２０は、入力部２９、鍵本体制御部３０、ロック部３１、データ格納部３２、位置情報部３３及び電源部３４から構成されている。
【００４８】
ここで入力部２９は、入力端子２４等から構成され提供側サーバ３の外部接続コントロール５ｂから発注側公開キー１２ａ及び配達場所等の情報を鍵本体制御部３０に入力したり、発注側端末２の外部接続コントロール５ａから発注側秘密キー１３ａを鍵本体制御部３０に入力するものである。
【００４９】
また作動ランプ２５は、開閉蓋１７が施錠されている場合に鍵本体制御部３０により点灯されるものである。これにより、施錠されたことが肉眼で確実に確認でき施錠ミスが回避できる。
【００５０】
更に充電入力端子２６は、ロック部３１、鍵本体制御部３０等の電源を充電するための端子である。
【００５１】
またアンテナ２７は、例えばＧＰＳ衛星から送られてくるＧＰＳ信号を受信するためのものである。
【００５２】
更に係止板挿入孔２８は、開閉蓋１７に設けられた施錠用シリンダ係止板２１が挿入されるものである。
【００５３】
またロック部３１は、鍵本体制御部３０による信号により例えば、電磁的にシリンダが施錠用シリンダ係止板２１のシリンダ貫通孔２２に挿入され、あるいは抜かれるようになっている。
【００５４】
更にデータ格納部３２は、例えば鍵本体制御部３０に入力された薬毒物の配達場所の情報、施錠された日時の情報、第１の情報及び第２の情報、第１の情報が入力された発注側公開キー１２ａにより暗号化された暗号化情報等が格納される。ここで第１の情報及び第２の情報は、施錠及び開錠の際に利用されるもので例えば、鍵本体制御部３０で発注側公開キー１２ａがデータ格納部３２に格納されると同時に生成される複数桁からなる数字であって、第１の情報に対し第２の情報が所定の相関関係があるものである。
【００５５】
また位置情報部３３は、例えばアンテナ２７を介してＧＰＳ信号を受信して薬毒物収容容器９の現在位置の情報を獲得するものである。
【００５６】
更に鍵本体制御部３０は、例えば上述した第１及び第２の情報を生成し、開閉蓋１７を容器本体１８に施錠する時に入力された発注側公開キー１２ａにより第１の情報を暗号化して暗号化情報とし、更に施錠を開錠する時に入力された発注側秘密キー１３ａにより複合化して復号化情報とし、その復号化情報と第２の情報とが所定の相関関係を有するか否かを判定し、更に、所定の相関関係を有すると判定した場合にロック部３１の施錠を開錠させるのための信号を制御し、位置情報部３３からの位置情報と施錠時に入力された薬毒物の配達場所の位置情報とが予定されている誤差の範囲内で一致するかの判断、更に発注側秘密キー１３ａの入力部２９への入力が所定の時間内又は所定の時刻のものかの判断等がなされる。
【００５７】
次に、上述したインターネット１、発注側端末２、提供側サーバ３及び薬毒物収容容器９によって薬毒物を提供する方法について説明する。
【００５８】
ここで図２は薬毒物容器２３が収容された薬毒物収容容器９に発注側公開キー１２ａを入力させるときから施錠を解除するときまでのフローチャートを示すが、その前の発注側で提供側のホームページを提示させるところから説明する。
【００５９】
例えば、発注側端末２で所定のブラウザを使って提供側のホームページのＵＲＬアドレスが入出力部７ａから入力されると、提供側サーバ３では制御部８ｂによりホームページ情報が通信部４ｂ及びインターネット１を介して発注側端末２にホームページとして提示される。
【００６０】
次に、発注側端末２でホームページ上の会員名と会員パスワードの所にキーボード等を使って必要情報を入力させる。この情報がインターネット１を介して提供側の通信部４ｂを通り制御部８ｂに届られる。
【００６１】
ここで制御部８ｂは会員データ格納部１４から全会員データを呼び出し、制御部８ｂに届けられた発注側の会員名と会員パスワードを照合する。
【００６２】
照合の結果、会員データと一致すれば制御部８ｂは発注側公開キー１２ａ及び発注側秘密キー１３ａの作成ソフトをインターネット１を介して発注側端末２に送信する。
【００６３】
発注側端末２では制御部８ａにより、送られたソフトがキー作成ソフト格納部１０に格納されると共に、ディスプレーに提示される。
【００６４】
ここで提示されたソフトに従い必要情報が入力されると、制御部８ａは作成ソフトにより発注側公開キー１２ａ及び発注側秘密キー１３ａを生成し、キー情報格納部１１に格納させると共に、発注側公開キー１２ａをインターネット１を介して提供側サーバ３に送信する。これにより、発注側でソフトに入力する必要情報を適宜選択することによりランダムに発注側公開キー１２ａ及び発注側秘密キー１３ａが生成されるので、第三者に発注側秘密キー１３ａ等が漏れたり盗まれたりすることを更に防止できることとなる。
【００６５】
次に、提供側通信部４ｂを介して制御部８ｂに届けられた発注側公開キー１２ａは制御部８ｂにより配送データ格納部１６に格納されると共に制御部８ｂにより薬毒物発注書情報がインターネット１を介して発注側端末２に送信される。
【００６６】
発注側端末２では、送信された薬毒物発注書情報に対し発注者名、発注薬毒物名、発注薬毒物の量、配達日時及び配達場所等必要情報をインターネット１を介して提供側サーバ３に送信する。
【００６７】
次に、提供側の制御部８ｂは送信された発注者名、発注薬毒物名、発注薬毒物の量及び配達日時等必要情報に基づいて、会員データ格納部１４から会員情報及び薬毒物データ格納部１５から現在保有する薬毒物のデータを呼び出し、発注に応じることが可能かどうか判断する。
【００６８】
発注に応じることが可能である場合には発注を受領した旨の情報を、インターネット１を介して発注側端末２に送信させる。また、制御部８ｂで発注に応じることが可能でないと判断した場合にはその旨及びその理由の情報を送信させる。
【００６９】
更に、制御部８ｂは発注を受領した旨の情報を送信させた場合は、配達日時及び配達場所情報を作成し、配送データ格納部１６に格納する。
【００７０】
次に、発注された薬毒物容器２３が丁度合う薬毒物容器支持板１９を選択し、容器本体１８に組み込んで薬毒物容器２３を容器本体１８に収納する。更に開閉蓋１７を施錠用シリンダ係止板２１を係止板挿入孔２８に挿入し、容器本体１８にセットする。これで薬毒物収容容器９に発注側公開キー１２ａを入力させる前までの動作は終了する。
【００７１】
次に、提供側サーバ３の外部接続コントロール５ｂと例えば薬毒物収容容器９の鍵本体２０に設けられた入力端子２４とをケーブルで接続し、提供側サーバ３の制御部８ｂの制御下配送データ格納部１６から発注側公開キー１２ａ、配達希望日時及び配達希望場所等が読み出され外部接続コントロール５ｂを介して鍵本体２０へ出力される。
【００７２】
鍵本体２０では、鍵本体制御部３０の制御下発注側公開キー１２ａ、配達希望日時及び配達希望場所等が入力部２９を介して一旦データ格納部３２に格納される。
【００７３】
更に、鍵本体制御部３０によりデータ格納部３２に発注側公開キー１２ａ等が格納されたか判定され（ステップ１０１）、格納されたと判定されたときは第１の情報及び第２の情報を生成し（ステップ１０２）データ格納部３２に格納する。
【００７４】
次に、データ格納部３２に格納された発注側公開キー１２ａ及び第１の情報を読み出し、第１の情報を発注側公開キー１２ａにより暗号化し暗号化情報を生成する（ステップ１０３）。
【００７５】
また、鍵本体制御部３０は暗号化情報をデータ格納部３２に格納する。
【００７６】
次に、鍵本体制御部３０は第１の情報に基づく暗号化情報及び第２の情報をデータ格納部３２から読み出し、暗号化情報と第２の情報とを比較し双方の情報が所定の相関関係を有するか判定する（ステップ１０４）。例えば第１の情報が「１０」であり第２の情報が［３０］とすれば所定の相関関係は第１の情報×３＝第２の情報という関係である。これによって、第１の情報「１０」の暗号化情報×３＝第２の情報という関係が成立しなければ、第１の情報に基づく暗号化情報と第２の情報とが所定の相関関係がないと判定されることとなる。
【００７７】
鍵本体制御部３０は第１の情報に基づく暗号化情報と第２の情報とが所定の相関関係がないと判定すると、ロック部３１を制御して例えば電磁的にシリンダが施錠用シリンダ係止板２１のシリンダ貫通孔２２に挿入され、開閉蓋１７を容器本体１８に施錠する（ステップ１０５）。また、鍵本体制御部３０は施錠された日時をデータ格納部３２に格納する。
【００７８】
ここで、第１の情報に基づく暗号化情報と第２の情報とが所定の相関関係があると判定された場合は、第１の情報に基づく暗号化情報が「１０」であり暗号化が成功しなかったこととなるので、鍵本体制御部３０は再度ステップ１０３を行うこととなる。
【００７９】
以上で施錠作業を終了するので提供側サーバ３の外部接続コントロール５ｂと鍵本体２０の入力端子２４とを接続していたケーブルを外し、施錠された薬毒物収容容器９を例えば宅配業者に配達場所及び配達日時を指定して配送させる。
【００８０】
次に、施錠された薬毒物収容容器９が発注側に配達されたときは、発注側端末２の外部接続コントロール５ａと薬毒物収容容器９の鍵本体２０に設けられた入力端子２４とを例えばケーブルで接続し、発注側端末２の制御部８ａの制御下キー情報格納部１１から発注側秘密キー１３ａが読み出され外部接続コントロール５ａを介して鍵本体２０へ出力される。
【００８１】
発注側秘密キー１３ａが鍵本体２０の入力部２９を介して鍵本体制御部３０に入力されると（ステップ１０６）、鍵本体制御部３０はその発注側秘密キー１３ａをデータ格納部３２に格納し、更に発注側秘密キー１３ａの入力日時とデータ格納部３２から読み出した施錠された日時とから配送に要した時間を演算し、所定時間内の発注側秘密キー１３ａの入力であるかを判定する（ステップ１０７）。ここで所定の時間は例えば、施錠するときに配達場所及び通常の配達事情を考慮した配達時間をその他の情報として提供側サーバ３から鍵本体２０のデータ格納部３２に格納させた所定の時間である。
【００８２】
鍵本体制御部３０は所定の時間内であると判定した場合は、データ格納部３２から配達場所の情報を読み出し、この情報と位置情報部３３により例えばアンテナ２７を介してＧＰＳ信号を受信して取得した薬毒物収容容器９の現在位置の情報とを比較して、双方の情報が予定されている誤差の範囲内で一致しているか判定する（ステップ１０８）。
【００８３】
次に、ステップ１０８で鍵本体制御部３０が双方の位置情報が予定されている誤差の範囲内で一致していると判定した場合は、鍵本体制御部３０はデータ格納部３２から発注側秘密キー１３ａ、暗号化情報及び第２の情報を読み出し、暗号化情報を発注側秘密キー１３ａにより復号化し（ステップ１０９）、その復号化情報と第２の情報とを比較し所定の相関関係があるか判定する（ステップ１１０）。
【００８４】
例えば上述した例によれば、暗号化情報は第１の情報である「１０」を発注側公開キー１２ａで暗号化したものであり、第２の情報は「３０」、第１の情報と第２の情報との相関関係は「第１の情報×３＝第２の情報」である。
【００８５】
ここで、暗号化情報を発注側秘密キー１３ａにより復号化した復号化情報は暗号化する前の第１の情報「１０」となり、復号化情報である「１０」×３＝第２の情報「３０」という所定の相関関係が成立するので鍵本体制御部３０は、復号化情報と第２の情報とが所定の相関関係を有するものと判定する。
【００８６】
次に、ステップ１１０で復号化情報と第２の情報とが所定の相関関係を有するものと判定した鍵本体制御部３０は、ロック部３１を制御し例えば電磁的にシリンダが施錠用シリンダ係止板２１のシリンダ貫通孔２２から挿出され、開閉蓋１７を容器本体１８から開錠する（ステップ１１１）。
【００８７】
ここで、鍵本体制御部３０はロック部３１を制御し開錠した場合はデータ格納部３２に格納されている発注側公開キー１２ａ等施錠時に格納されたデータ及び発注側秘密キー１３ａ等開錠時に格納されたデータを削除する（ステップ１１２）。これにより発注側秘密キー１３ａ等の情報が漏れる恐れがなくなり、更に薬毒物が別人に提供される危険性が防止できることとなる。
【００８８】
また、鍵本体制御部３０がステップ１０７で所定の時間を経過していると判定した場合は、鍵本体制御部３０はステップ１０６で入力された発注側秘密キー１３ａをデータ格納部３２から削除し、ステップ１０６の前の状態に戻す。
【００８９】
これによって、薬毒物収容容器９の配送中に盗難されたために所定時間を経過した場合及び配達場所と異なる場所に配達されたために所定時間を経過した場合等において、発注側秘密キー１３ａを薬毒物収容容器９の鍵本体２０に入力してもステップ１０７でデータ格納部３２から削除され、ステップ１０６の前の状態に戻されるためロック部３１は開錠できないこととなる。
【００９０】
更に、ステップ１０８で鍵本体制御部３０が双方の位置情報が予定されている誤差の範囲で一致していないと判定した場合は、鍵本体制御部３０はステップ１０６で入力された発注側秘密キー１３ａをデータ格納部３２から削除する。
【００９１】
これによって、発注側秘密キー１３ａを薬毒物収容容器９の鍵本体２０に入力しても薬毒物収容容器９が配達場所と異なる場所に配達されたために双方の位置情報が予定されている誤差の範囲で一致していないとして、ステップ１０８により発注側秘密キー１３ａがデータ格納部３２から削除されるため薬毒物収容容器９のロック部３１は開錠されない。これにより更に発注側と異なる者に薬毒物が配達され提供されること防止できる。
【００９２】
また、ステップ１１０により鍵本体制御部３０が復号化情報と第２の情報とが所定の相関関係を有しないと判定した場合は、暗号化情報の復号化が成功しなかったことになるので鍵本体制御部３０は、再度ステップ１０９を行うこととなる。
【００９３】
これによって、発注側秘密キー１３ａの入力によって復号化した場合に限りロック部３１を開錠できることとなり、目的の薬毒物を発注側以外の者に提供されることを確実に防止できる。
【００９４】
以上により発注側で薬毒物収容容器９の鍵本体２０による施錠が解除され、開閉蓋１７が開けることができることとなり、中に収納されていた薬毒物容器２３が取り出され薬毒物収容容器９による発注側への薬毒物の提供が終了する。
【００９５】
このように本実施形態によれば、ネットワークを介して薬毒物の発注を受けることとしたので、時間及び場所を選ばない毒劇物の関与した中毒事件において瞬時に希望の標準品である薬毒物の提供の準備ができる。
【００９６】
又、発注された薬毒物を収納する薬毒物収容容器９に鍵本体２０を設け、その鍵本体２０に発注側にのみ知り得る発注側秘密キー１３ａを入力させロック部３１を開錠させることとしたので、確実に発注側にのみ目的の薬毒物を提供できる。
【００９７】
更に、鍵本体２０の鍵本体制御部３０で第１の情報及び第１の情報と所定の相関関係が有る第２の情報を生成し、発注側公開キー１２ａにより第１の情報を暗号化情報とし、配達時の発注側秘密キー１３ａの入力により暗号化情報を復号化情報とし、これと第２の情報との相関関係の有無により開錠することし、更に開錠後はこれらの情報を削除することとしたので、第１の情報及び第２の情報を誰も知ることがなく情報漏れによる発注側以外の他人が発注された薬毒物を取得する危険性を更に無くすことができる。
【００９８】
次に、図５は本発明の第２の実施形態にかかる薬毒物提供方法を示す構成図、図６は薬毒物提供後のフローチャートである。なお、図５において第１の実施形態で示した図１における構成要素と同一の構成要素については同一の符号を付すものとし、その説明を省略する。
【００９９】
図３、図４、図５及び図６に基づき薬毒物収容容器９のロック部３１を開錠することにより発注された薬毒物を提供した後、第３の情報を施錠時に入力される発注側秘密キー１３ａにより暗号化した暗号化情報を開錠時に入力される発注側公開キー１２ａにより復号化した複号化情報と第４の情報とが所定の相関関係を有することを条件に開錠されるロック部３１を発注側秘密キー１３ａを入力して施錠し、この施錠された薬毒物収容容器９を発注側から提供側に配送し、配送された薬毒物収容容器９の開錠時に発注側公開キー１２ａとして入力された情報を用いて施錠時に暗号化された暗号化情報を復号化し、復号化された復号化情報と第４の情報とが所定の相関関係を有するか否かを判定し、所定の相関関係を有する場合にロック部３１を開錠する場合について説明する。
【０１００】
この場合において、図５に示す薬毒物収容容器９の構成については第１の実施形態についての構成と同一であるのでその説明を省略する。
【０１０１】
次に、薬毒物を発注側に提供するまでは第１の実施形態の場合と同様であるので、薬毒物を発注側に提供した後の薬毒物提供方法について説明する。
【０１０２】
まず薬毒物容器２３が取り出された薬毒物収容容器９の開閉蓋１７を施錠用シリンダ係止板２１を係止板挿入孔２８に挿入し、容器本体１８にセットする。
【０１０３】
また、発注側端末２の外部接続コントロール５ａと例えば鍵本体２０に設けられた入力端子２４とをケーブルで接続し、発注側端末２の制御部８ａの制御下キー情報格納部１１から発注側秘密キー１３ａが読み出され外部接続コントロール５ａを介して鍵本体２０に出力される。
【０１０４】
鍵本体２０では鍵本体制御部３０の制御下発注側秘密キー１３ａが入力部２９を介して一旦データ格納部３２に格納され、鍵本体制御部３０によりデータ格納部３２に発注側秘密キー１３ａが格納されたか判定される（ステップ２０１）。
【０１０５】
次に、鍵本体制御部３０は発注側秘密キー１３ａが格納されたと判定したときは第３の情報及び第４の情報を生成し（ステップ２０２）、その情報をデータ格納部３２に格納する。
【０１０６】
また、鍵本体制御部３０はデータ格納部３２に格納された発注側秘密キー１３ａ及び第３の情報を読み出し、第３の情報を暗号化し暗号化情報を生成する（ステップ２０３）と共にその暗号化情報をデータ格納部３２に格納する。
【０１０７】
次に、鍵本体制御部３０は暗号化情報及び第４の情報をデータ格納部３２から読み出し、暗号化情報と第４の情報とを比較し双方の情報が所定の相関関係を有するか判定する（ステップ２０４）。なお、この判定方法は第１の実施形態における第１の情報に基づく暗号化情報と第２の情報とを比較し双方の情報が所定の相関関係を有するか判定する方法と同様である。
【０１０８】
鍵本体制御部３０は第３の情報に基づく暗号化情報と第４の情報とが所定の相関関係がないと判定すると、ロック部３１を制御して例えば電磁的にシリンダが施錠用シリンダ係止板２１のシリンダ貫通孔２２に挿入され、開閉蓋１７を容器本体１８に施錠する（ステップ２０５）。
【０１０９】
ここで、第１の情報に基づく暗号化情報と第２の情報とが所定の相関関係があると判定された場合は、暗号化が成功しなかったこととなるので、鍵本体制御部３０は再度ステップ２０３を行うこととなる。
【０１１０】
以上で施錠作業を終了するので発注側端末２の外部接続コントロール５ａと鍵本体２０の入力端子２４とを接続していたケーブルを外し、施錠された薬毒物収容容器９を例えば宅配業者により提供側に配送させる。
【０１１１】
次に、施錠された薬毒物収容容器９が提供側に配達されたときは提供側サーバ３の外部接続コントロール５ｂと薬毒物収容容器９の鍵本体２０に設けられた入力端子２４とを例えばケーブルで接続し、提供側サーバ３の制御部８ｂの制御下配送データ格納部１６から発注側公開キー１２ａが読み出され外部接続コントロール５ｂを介して鍵本体２０へ出力される。
【０１１２】
発注側公開キー１２ａが鍵本体２０の入力部２９を介して鍵本体制御部３０に入力されると（ステップ２０６）、鍵本体制御部３０はその発注側公開キー１２ａをデータ格納部３２に格納する。
【０１１３】
次に、鍵本体制御部３０はデータ格納部３２から発注側公開キー１２ａ、暗号化情報及び第４の情報を読み出し、暗号化情報を発注側公開キー１２ａにより復号化し（ステップ２０７）、その復号化情報と第４の情報とを比較し所定の相関関係があるか判定する（ステップ２０８）。この場合の判定方法も第１の実施形態の場合の復号化情報と第２の情報とを比較し所定の相関関係があるか判定する方法と同様である。
【０１１４】
また、鍵本体制御部３０が復号化情報と第４の情報とが所定の相関関係を有しないと判定した場合は、暗号化情報の復号化が成功しなかったことになるので鍵本体制御部３０は、再度ステップ２０７を行うこととなる。これによって、提供側で薬毒物収容容器９の開錠が成功しなかった場合は、暗号化が発注側秘密キー１３ａでされなかったこととなり施錠した者が発注側で無い場合が考えられるので速やかな対応措置が取れることとなる。
【０１１５】
次に、ステップ２０８で復号化情報と第４の情報とが所定の相関関係を有するものと判定した鍵本体制御部３０は、ロック部３１を制御し例えば電磁的にシリンダが施錠用シリンダ係止板２１のシリンダ貫通孔２２から挿出され、開閉蓋１７を容器本体１８から開錠する（ステップ２０９）。
【０１１６】
ここで、鍵本体制御部３０はロック部３１を制御し開錠した場合はデータ格納部３２に格納されている発注側秘密キー１３ａ等施錠時に格納されたデータ及び発注側公開キー１２ａ等開錠時に格納されたデータを削除する（ステップ２１０）。これにより発注側秘密キー１３ａ等の情報が漏れる恐れがなくなり、確実に薬毒物の提供を受けたものが発注側であることを確認できることとなる。
【０１１７】
以上により提供側は薬毒物収容容器９を開錠し第２の実施形態にかかる薬毒物提供方法を終了することとなる。
【０１１８】
このように本実施形態によれば、薬毒物提供後の薬毒物収容容器９を提供側に配送する際に発注側しか知り得ない発注側秘密キー１３ａで第３の情報を暗号化情報とし施錠し、提供側で発注側公開キー１２ａにより暗号化情報を複合化し、これと第３の情報と所定の相関関係のある第４の情報を比較して開錠することとしたので、提供側で開錠できない場合は、暗号化が発注側秘密キー１３ａでされなかったことなり発注側以外の者が薬毒物の提供を受けた可能性があることが判り直ちに適切な処置が取れることとなる。
【０１１９】
また、発注側しか知り得ない発注側秘密キー１３ａで第３の情報を暗号化情報とし施錠していることから、薬毒物提供後の薬毒物収容容器９を提供側で発注側公開キー１２ａに基づき開錠した場合は、発注側が間違いなく目的の薬毒物の提供を受けたことの証明とも成り得るため薬毒物提供の確実性を更に向上できると共に、発注側秘密キー１３ａで施錠され配送されたことが受領書の代わりとなり得るので手続の簡素化を図ることができることとなる。
【０１２０】
更に、薬毒物提供後の薬毒物収容容器９を提供側に配送することとしたので、繰返して薬毒物収容容器９を使用でき経済的である。
【０１２１】
なお、本発明は上述したいずれの実施形態にも限定されず、本発明の技術思想の範囲内で適宜変更して実施できる。
【０１２２】
例えば、上述の実施形態では薬毒物容器２３が収納された薬毒物収容容器９を提供側において施錠する際発注側公開キー１２ａを入力し第１及び第２の情報を生成したが、これに限られるものではなく提供側公開キー１２ｂを追加して入力し第５の情報及び第６の情報を生成して提供側公開キー１２ｂにより第５の情報を暗号化してもよい。
【０１２３】
これにより、何かの事情例えば間違えて別の薬毒物容器２３を薬毒物収容容器９に収納してしまった場合にも提供側秘密キー１３ｂで暗号化情報を複合化し、この複合化情報と第６の情報とから鍵本体２０の鍵本体制御部３０によりロック部３１を制御して提供側も開錠できるものとすることができる。この場合は上述の実施形態のようなステップ１０７及びステップ１０８は適用しない。
【０１２４】
また、上述の実施形態では提供側サーバ３から送信された薬毒物発注書情報に対し発注者名、発注薬毒物名、発注薬毒物の量、配達日時及び配達場所等必要情報をインターネット１を介して提供側サーバ３に送信することのみ説明したがこれに限られるものではなく、提供側サーバ３に送信する際に例えば薬毒物発注書情報をそのままインターネット１を介して提供側サーバ３に送信すると共に同じ薬毒物発注書情報をハッシュ関数で圧縮したメッセージダイジェストを発注側秘密キー１３ａにより暗号化しこれを同時にインターネット１を介して提供側サーバ３に送信することによっていわゆる電子署名をすることができる。
【０１２５】
これによって、提供側サーバ３に送信された薬毒物発注書情報そのままの情報をハッシュ関数で圧縮したメッセージダイジェストとし、同時に送信されたメッセージダイジェストの暗号化情報を発注側公開キー１２ａで復号化し、先のメッセージダイジェストと比較することによって一致すれば、提供側サーバ３に送信された薬毒物発注書情報は間違いなく発注側からその内容で送信されたこととなり、インターネット１上等における不正行為から薬毒物提供の安全を更に確保することができる。
【０１２６】
更に、発注側秘密キー１３ａは発注側しか知り得ないので、発注側が後でその薬毒物を発注した覚えが無いと言う場合等の問題も解消できることとなる。
【０１２７】
また、上述の実施形態では薬毒物について説明したがこれに限られるものではなく、以下のような物品も本発明により迅速で安全かつ発注者本人のみに提供できることとなる。
【０１２８】
（１）ＰＲＴＲ（Ｐｏｌｌｕｔａｎｔ　Ｒｅｌｅａｓｅ　ａｎｄ　Ｔｒａｎｓｆｅｒ　Ｒｅｇｉｓｔｅｒ）により規制されている化学物質例えば、アクリルアミド、アセトアルデヒド、アニリン等。
【０１２９】
（２）内分泌撹乱作用を有すると疑われる化学物質例えば、ダイオキシン類、ポリ塩化ビフェニール類、ポリ臭化ビフェニール類等。
【０１３０】
（３）感染症を引き起こす病原体例えば、アニサキス類の幼虫、赤痢アメーバ、インフルエンザウイルス等。
【０１３１】
（４）ヒト、あるいは各種の動植物に由来する全ての臓器、器官、組織、細胞、胚等より樹立されたＥＳ細胞、ＥＧ細胞、培養等により人工的に増殖および加工された全ての臓器、器官、組織、細胞等。
【０１３２】
【発明の効果】
以上説明したように、本発明によれば瞬時に希望の物品の提供準備が可能となると共に、間違いなく発注者にのみ目的の物品を提供できることとなる。
【図面の簡単な説明】
【図１】本発明の第１の実施形態に係る薬毒物提供方法の構成図である。
【図２】本発明の第１の実施形態に係る薬毒物提供方法のフローチャートである。
【図３】本発明の第１の実施形態に係る薬毒物収容容器の全体斜視図である。
【図４】本発明の第１の実施形態に係る鍵本体の構成図である。
【図５】本発明の第２の実施形態に係る薬毒物提供方法の構成図である。
【図６】本発明の第２の実施形態に係る薬毒物提供方法のフローチャートである。
【符号の説明】
１　インターネット
２　発注側端末
３　提供側サーバ
９　薬毒物収容容器
１２ａ，ｂ　発注側公開キー、提供側公開キー
１３ａ，ｂ　発注側秘密キー、提供側秘密キー
１７　開閉蓋
１８　容器本体
２０　鍵本体
２３　薬毒物容器
３０　鍵本体制御部
３１　ロック部
【図１】
2004011313.tif 000003
【図２】
2004011313.tif 000004
【図３】
2004011313.tif 000005
【図４】
2004011313.tif 000006
【図５】
2004011313.tif 000007
【図６】
2004011313.tif 000008